(57)【要約】【課題】紙葉類に設けられたコード化されたセキュリティスレッドのコードを特別なセンサ等を必要とせずに識別することが可能なセキュリティスレッド検出装置を提供する。【解決手段】紙葉類Ｐの搬送方向と直交する方向に漉き込まれている、最小単位の磁気チップ１３を複数個直線状に配置することによりコード化されたセキュリティスレッド１２を検出対象とした場合、磁気センサ１６を紙葉類Ｐの搬送方向と直交する方向に対して最小単位の磁気チップ１３の対角線の角度から導いた所定の角度傾斜して配置する。【選択図】      図１
2005141493.tif 000002
【特許請求の範囲】
【請求項１】
最小単位の磁性媒体あるいは導電性媒体を当該紙葉類の搬送方向と直交する方向に複数個直線状に配置することによりコード化されたセキュリティスレッドが設けられた紙葉類を前記セキュリティスレッドの配置方向と直交する方向に搬送する搬送手段と、
前記紙葉類の搬送方向と直交する方向に対して傾斜して設けられ、前記セキュリティスレッドの１コード単位の幅の検出範囲以上の長さを有する磁気信号検出手段と、
を具備したことを特徴とするセキュリティスレッド検出装置。
【請求項２】
前記磁気信号検出手段は、前記紙葉類の搬送方向と直交する方向に対してそれぞれ異なる角度で傾斜して設けられた複数の磁気信号検出手段からなることを特徴とする請求項１記載のセキュリティスレッド検出装置。
【請求項３】
前記セキュリティスレッドを構成する最小単位の磁性媒体あるいは導電性媒体は矩形状に形成されており、
前記紙葉類の搬送方向と直交する方向に対して傾斜して設けられる前記磁気信号検出手段の傾斜角は、前記矩形状に形成された最小単位の磁性媒体あるいは導電性媒体の対角線の角度に基づき設定されることを特徴とする請求項１または請求項２記載のセキュリティスレッド検出装置。
【請求項４】
前記磁気信号検出手段の出力信号に基づき前記セキュリティスレッドのコードを識別するコード識別手段をさらに具備したことを特徴とする請求項１記載のセキュリティスレッド検出装置。
【発明の詳細な説明】
【技術分野】
【０００１】
本発明は、たとえば、有価証券等の紙葉類に漉き込まれていたり、あるいは印刷されているコード化されたセキュリティスレッドを検出するセキュリティスレッド検出装置に関する。
【背景技術】
【０００２】
従来、有価証券（たとえば、紙幣）等の紙葉類上の磁気信号を検知するための磁気センサは、搬送される紙葉類に対し、その搬送方向と直交する方向に平行に配置し、磁気センサの検出部（磁気ギャップ）も同方向に配置するのが一般的である。しかしながら、磁気センサの検出部と平行（つまり、紙葉類の搬送方向と直交する方向）に紙葉類に漉き込まれている、最小単位の磁気チップを複数個直線状に配置することによりコード化されたセキュリティスレッドが検出対象となると、磁気センサはセキュリティスレッドの有無のみしか検出できず、セキュリティスレッドが券種ごとにコード化されていても、そのコードを識別することはできない。
【特許文献１】特表平１１−５０５３５３号公報
【発明の開示】
【発明が解決しようとする課題】
【０００３】
上述したように、紙葉類に磁気センサの検出部と平行（つまり、紙葉類の搬送方向と直交する方向）に漉き込まれている、最小単位の磁気チップを複数個直線状に配置することによりコード化されたセキュリティスレッドが検出対象となると、磁気センサはセキュリティスレッドの有無のみしか検出できず、セキュリティスレッドが券種ごとにコード化されていても、そのコードを識別することはできない。
【０００４】
また、原理的には、検出幅がセキュリティスレッドを構成する最小単位の磁気チップの幅よりも小さい磁気センサ、たとえば、検出幅が０．５ｍｍ程度の磁気センサを多数直線状に配列すれば、セキュリティスレッドのコードを識別することは可能であるが、非常に狭い検出幅の磁気センサを多数直線状に配列してアレイ化する技術は容易ではなく、また非常に高価な磁気センサとなってしまうことなどで適用できない等の不都合がある。
【０００５】
そこで、本発明は、紙葉類に設けられたコード化されたセキュリティスレッドのコードを特別なセンサ等を必要とせずに識別することが可能なセキュリティスレッド検出装置を提供することを目的とする。
【課題を解決するための手段】
【０００６】
本発明のセキュリティスレッド検出装置は、最小単位の磁性媒体あるいは導電性媒体を当該紙葉類の搬送方向と直交する方向に複数個直線状に配置することによりコード化されたセキュリティスレッドが設けられた紙葉類を前記セキュリティスレッドの配置方向と直交する方向に搬送する搬送手段と、前記紙葉類の搬送方向と直交する方向に対して傾斜して設けられ、前記セキュリティスレッドの１コード単位の幅の検出範囲以上の長さを有する磁気信号検出手段とを具備している。
【発明の効果】
【０００７】
本発明によれば、紙葉類に設けられたコード化されたセキュリティスレッドのコードを特別なセンサ等を必要とせずに識別することが可能なセキュリティスレッド検出装置を提供できる。
【発明を実施するための最良の形態】
【０００８】
以下、本発明の実施の形態について図面を参照して説明する。  
図１は、本実施の形態に係るセキュリティスレッド検出装置の構成を概略的に示すものである。図１において、被検出媒体である有価証券（たとえば、紙幣）等の紙葉類Ｐは、搬送手段としての搬送ベルト１１によりその長手方向量端部を挟持されて図示矢印方向ａに搬送される。
【０００９】
紙葉類Ｐには、その搬送方向ａと直交する方向にコード化されたセキュリティスレッド１２が漉き込まれている。セキュリティスレッド１２は、たとえば、図２に示すように、最小単位の磁性媒体としての矩形状の磁気チップ１３を搬送方向ａと直交する方向に複数個直線状に配置することによりコード化されてなる１コード分の単位スレッド１４が繰り返し配設されて構成される。単位スレッド１４の両端部には、１コード分割用の磁気チップ１５，１５が配置されている。ここに、磁気チップ１３，１５は、たとえば、鉄やニッケル等の磁性材料で形成されている。
【００１０】
なお、図２において、実線（斜線）で示す部分は実際に磁気チップ１３が配置された部分を示し、破線で示す部分は磁気チップ１３が配置される予定の部分（配置されていない部分）を示し、これらは単位スレッド１４のコード構成により変化する。
【００１１】
搬送される紙葉類Ｐに対し、磁気信号検出手段としての磁気量検出タイプの磁気センサ（磁気ヘッド）１６が搬送方向ａと直交する方向に傾斜して設けられている。磁気センサ１６は、たとえば、磁気量検出タイプの磁気ヘッドであり、セキュリティスレッド１２の１コード分の単位スレッド１４の幅Ｌ１の検出範囲以上の長さＬ２を有し、その傾斜角θは、矩形状に形成された最小単位の磁気チップ１３の対角線の角度と同等かそれ以上の検出可能な角度に設定される。
【００１２】
このような磁気センサ１６の配置構成とすることにより、コード化されている各磁気チップ１３が時系列的にずれて磁気センサ１６の検出部（磁気ギャップＧ）にかかり出力が得られる。このときの磁気センサ１６の角度は、上述したように最小単位の磁気チップ１３の対角線の角度かそれ以上の検出可能な範囲に設定することで信号が重なることなく検出できる。
【００１３】
図３に磁気センサ１６の出力信号波形の一例を示す。この出力信号を磁気チップ単位でコード化すると、図２のセキュリティスレッド１２は「１０１００１１１」のようにコ―ド識別できる。
【００１４】
なお、図３の出力信号波形は、磁気量検出タイプの磁気センサの出力で描いているが、微分型磁気センサによる微分的な出力となっても、整流回路やハイレベルの間隔をカウントするなどの方法でコード化は容易である。
【００１５】
磁気センサ１６の幅（長さ）Ｌ２に関しては、図２の１コード分割用の磁気チップ１５の出力箇所を検出することにより領域が確定できるので、繰り返しのコードがまたがって検出されても、少なくともセキュリティスレッド１２の１コード分の単位スレッド１４の幅Ｌ１があれば、コード認識が可能である。
【００１６】
図４は、磁気センサ１６の出力信号を処理する信号処理回路の一例を示している。すなわち、磁気センサ１６の出力信号は信号増幅回路２１で増幅され、セキュリティスレッド１２が図２の場合、図３に示すような波形の検出信号が得られる。
【００１７】
信号増幅回路２１の出力信号は２値化回路２２に送られ、ここであらかじめ設定される所定のスライス値でハイレベル、ロウレベルに２値化される。２値化回路２２の出力信号はコード識別手段としてのコード識別部２３に送られ、ここでセキュリティスレッド１２のコードが識別される。たとえば、磁気センサ１６の出力信号が図３の場合、「１０１００１１１」とコ―ド識別される。
【００１８】
なお、前記実施の形態では磁気センサを１個設置した場合について説明したが、磁気センサを複数個設置してもよく、以下、その場合について説明する。  
一例として図５に磁気センサを２個設置した場合を示す。第１の磁気センサ１６ａが図１における磁気センサ１６と仮定すると、この第１の磁気センサ１６ａに対し、第２の磁気センサ１６ｂを数度の角度ずらした位置に配置する。これにより、紙葉類Ｐの搬送時におこるスキューなどによるセキュリティスレッド１２の角度ずれが起こっても、２つの磁気センサ１６ａ，１６ｂの各出力のうち特性のよい方を採用することで、精度のよい検出が可能となる。
【００１９】
このように、紙葉類Ｐの搬送方向と直交する方向に漉き込まれている、最小単位の磁気チップ１３を複数個直線状に配置することによりコード化されたセキュリティスレッド１２を検出対象とした場合、磁気センサ１６を紙葉類Ｐの搬送方向と直交する方向に対して最小単位の磁気チップ１３の対角線の角度から導いた所定の角度傾斜して配置することにより、磁気センサ１６の検出部（磁気ギャップＧ）と平行にコード化されているセキュリティスレッド１２のコードを特別な磁気センサなどを必要とせずに識別でき、紙葉類Ｐの真偽判別性能の向上が図れる。
【００２０】
なお、前記実施の形態では、セキュリティスレッドを構成する最小単位の媒体が鉄やニッケル等の磁性材料で形成された磁性媒体（磁気チップ）の場合について説明したが、本発明はこれに限定されるものではなく、アルミニウム等の非磁性材料で形成された導電性媒体であってもよい。その場合、磁気信号検出手段として導電性媒体による渦電流損を検出するようにすればよい。また、最小単位の媒体の形状は、前記実施の形態のような矩形状に限らず、たとえば、円形状や楕円状などであっても同様に適用できる。
【図面の簡単な説明】
【００２１】
【図１】本発明の実施の形態に係るセキュリティスレッド検出装置の構成を概略的に示す模式図。
【図２】セキュリティスレッドの構成を説明する構成図。
【図３】磁気センサの出力信号波形例を示す波形図。
【図４】磁気センサの出力信号を処理する信号処理回路の一例を示す回路図。
【図５】本発明の他の実施の形態に係るセキュリティスレッド検出装置の構成を概略的に示す模式図。
【符号の説明】
【００２２】
Ｐ…紙葉類、１１…搬送ベルト（搬送手段）、１２…セキュリティスレッド、１３…磁気チップ（最小単位の磁性媒体または導電性媒体）、１４…１コード分の単位スレッド、１５…１コード分割用の磁気チップ、１６，１６ａ，１６ｂ…磁気センサ（磁気信号検出手段）、２１…信号増幅回路、２２…２値化回路、２３…コード識別部（コード識別手段）。
【図１】
2005141493.tif 000003
【図２】
2005141493.tif 000004
【図３】
2005141493.tif 000005
【図４】
2005141493.tif 000006
【図５】
2005141493.tif 000007